(57)【要約】      （修正有）【課題】平常時には、物品を備蓄して置くこと自体に意味の有る備蓄倉庫を災害時に転用して得られる仮設トイレを提供する。【解決手段】基盤４ｂに便器４ａを支持させて成る便器ユニット４の基盤４ｂを備蓄倉庫の床パネル１ａ上に載置する。該基盤４ｂの相対する両側に、固定部片と押え部片を仲介部片で段状に連設して構成した、複数個の取付け金具１１を配置する。そして、取付け金具１１の前記固定部片を前記床パネル１ｂ上に、前記押え部片を前記基盤４ｂ上にそれぞれ載せて、固定部片に設けた透孔を通じて前記床パネル１ｂに予め設けたねじ孔に摘み付ボルト１０を螺合して前記床パネル１ａに前記固定部片を締付けると共に、前記便器４ａに連通させた排水ホース８の先端を前記備蓄倉庫の壁パネル１ｂ´を通じて屋外に導出した。【選択図】図１
2009121081.tif 000002
【特許請求の範囲】
【請求項１】
基盤に便器を支持させて成る便器ユニットの基盤を備蓄倉庫の床パネル上に載置し、該基盤の相対する両側に、固定部片と押え部片を仲介部片で段状に連設して構成した、複数個の取付け金具を配置し、該取付け金具の前記固定部片を前記床パネル上に、前記押え部片を前記基盤上にそれぞれ載せて、固定部片に設けた透孔を通じて前記床パネルに予め設けたねじ孔に摘み付ボルトを螺合して前記床パネルに前記固定部片を締付けると共に、前記便器に連通させた排水ホースの先端を前記備蓄倉庫の壁パネルを通じて屋外に導出した、仮設トイレ。
【発明の詳細な説明】
【技術分野】
【０００１】
本発明は、概し、地震や火災などの災害時に用いる仮設トイレに関するものである。
【背景技術】
【０００２】
従来の仮設トイレは、トイレ専用の簡易室構成体にトイレに必要な備品を装置して構成しており、前記の簡易室構成体を成形体で構成するもの（例えば、特許文献１）と、必要に応じて部材を組立てて構成するもの（例えば、特許文献２）がある。
【０００３】
【特許文献１】特開平１１−２４１３９０号公報
【特許文献２】特開２００３−７４２００号公報
【発明の開示】
【発明が解決しようとする課題】
【０００４】
前記従来例は、いずれも建築現場、道路作業などの戸外の現場で使用するには便利で、必要目的のある現場の場合は当該現場に搬送する時間と労力を確保できるので不都合はないが、地震や火災などの予期しない災害時に直ちに対応できず、また、災害の勃発を予期して予め用意しておくことも考えられるが、トイレ専用のためのものとして用意するのは日常に役立つことがなく、従って、保管する上の利点がないので、災害用として保管、準備する常況にはない。
【０００５】
本発明は、斯様な常況を勘案し、平常時には、物品を備蓄して置くこと自体に意味の有る備蓄倉庫を災害時に転用して得られる仮設トイレを提供することを目的として創案したものである。
【課題を解決するための手段】
【０００６】
基盤に便器を支持させて成る便器ユニットの基盤を備蓄倉庫の床パネル上に載置し、該基盤の相対する両側に、固定部片と押え部片を仲介部片で段状に連設して構成した、複数個の取付け金具を配置し、該取付け金具の前記固定部片を前記床パネル上に、前記押え部片を前記基盤上にそれぞれ載せて、固定部片に設けた透孔を通じて前記床パネルに予め設けたねじ孔に摘み付ボルトを螺合して前記床パネルに前記固定部片を締付けると共に、前記便器に連通させた排水ホースの先端を前記備蓄倉庫の壁パネルを通じて屋外に導出した構成としたものである。
【発明の効果】
【０００７】
本発明によれば、災害時に備蓄品を運び出した備蓄倉庫に、便器と排水ホースを組付けて仮設トイレを簡単に得ることができ、物品を備蓄して置くこと自体に意味が有り、備蓄すなわち物品の保管状態から解いたときは価値のなくなる備蓄倉庫を転用して得るものであるから、経済的であり、実用的である。
【実施例】
【０００８】
図面は本発明に係る仮設トイレの一実施例を示し、図１は略示平面図、図２は図１の一部拡大図、図３は床板と便器の関係を示す断面図、図４は図３の一部拡大図、図５は摘み付ボルトを外した状態の図４の拡大断面図である。
【０００９】
図中、Ａは備蓄倉庫を利用した仮設トイレで、仮設トイレＡは屋根パネル（図示省略）、床パネル１ａ、前後の壁パネル１ｂ，１ｂ´および左右の壁パネル１ｃ，１ｃ´で構成した備蓄倉庫Ａ´に、間仕切りパネル２を組付けて区画室３を設け、各区画室３に便器４ａおよび排水ホース８を取付けて構成したものである。
【００１０】
備蓄倉庫Ａ´は、適宜の地域に設置して、災害時に必要とする日常生活品等の種々の物品を収納、保管し、必要なときは、前壁パネル１ｂ側に設けた扉６を開扉して取出すようになっており、床パネル１ａには前記各区画室３に前記便器４ａを取付けるためのねじ孔７を設けてあり、後壁パネル１ｂ´には同様に便器４ａに連通させる排水ホース８の導出口９を設け、これらねじ孔７および導出口９を特別な閉塞材又は備蓄する物品で必要に応じて閉塞して用いる。
【００１１】
なお、備蓄倉庫Ａ´をトイレＡに変えるために必要な前記間仕切りパネル２、便器４ａ或いは排水ホース８その他接続金具等は前記備蓄品と共に倉庫Ａ´に収納保管し、非常時に備蓄品と共に倉庫Ａ´内より適宜取出し、倉庫Ａ´に組付けて仮設トイレＡを構成する。
【００１２】
そして、災害非常時に、備蓄品と共に間仕切りパネル２等を倉庫Ａ´内より取り出し、間仕切りパネル２を用いた区画室３の形成作業と便器４ａ等の取付け作業を、同時又は異時に相前後して行い、仮設トイレＡを得る。
【００１３】
便器４ａは基盤４ｂに支持させて便器ユニット４を構成し、便器ユニット４を基盤４ｂにおいて倉庫Ａ´の床パネル１ａに設けたねじ孔７の近傍に配置し、該ねじ孔７に螺合する摘み付ボルト１０と取付け金具１１を用いて前記床パネル１ａに固着したものである。
【００１４】
取付け金具１１は、固定部片１１ａと押え部片１１ｂを仲介部片１１ｃを介して段状に連設して成り、低い一側の固定部片１１ａを前記床パネル１ａ上に、高い位置の押え部片１１ｂを便器ユニット４の前記基盤４ｂ上にそれぞれ配置し、固定部片１１ａに設けた透孔１２を通じて前記摘み付ボルト１０の先端を床パネル１ａ側に予め設けた前記ねじ孔７に螺合することによって押え部片１１ｂは基盤４ｂを床パネル１ａとで基盤４ｂを、相対する両側の２個所において挟持し、基盤４ｂすなわち便器ユニット４は床パネル１ａに固定される。
【００１５】
便器４ａは有底器体で成り、器内に連通する前記排水ホース８を基端部において図示省略した接続手段で接続し、該排水ホース８の先端側を前記後壁パネル１ｂ´に予め形成した前記導出口９を通じて外部に導出し、タンクその他適宜の貯留装置に連通させることにより備蓄倉庫Ａ´を仮設トイレに変更することができる。
【００１６】
なお、間仕切りパネル２の後壁パネル１ｂ´等に対する組付けも、特別な工具を用いずに指先だけで組付けられるようになっているが、本件発明の説明とは関係のない事項なのでその説明は省略する。
【００１７】
図示は２種類の便器ユニットを表しているがその一方は手摺付のものを示している。
【図面の簡単な説明】
【００１８】
【図１】略示平面図。
【図２】図１の一部拡大図。
【図３】床板と便器の関係を示す断面図。
【図４】図３の一部拡大図。
【図５】摘み付ボルトを外した状態の図４の拡大断面図。
【符号の説明】
【００１９】
１ａ              床パネル
１ｂ，１ｂ´      壁パネル
１ｃ，１ｃ´      壁パネル
Ａ´              備蓄倉庫
２                間仕切りパネル
３                区画室
４                便器ユニット
４ａ              便器
４ｂ              基盤
５                排水ホース
６                扉
７                ねじ孔
８                排水ホース
９                導出口
１０              摘み付ボルト
１１              取付け金具
１１ａ            固定部片
１１ｂ            押え部片
１１ｃ            仲介部片
１２              透孔
【図１】
2009121081.tif 000003
【図２】
2009121081.tif 000004
【図３】
2009121081.tif 000005
【図４】
2009121081.tif 000006
【図５】
2009121081.tif 000007